(57)【特許請求の範囲】
【請求項１】
プラント監視システムにおいて監視対象となるフィールド機器のそれぞれにより測定されるプロセス値を画面に表示する、少なくとも、記憶装置と、演算装置と、表示装置とからなるフィールドデータ表示装置であって、
前記フィールド機器により測定されるプロセス値を収集し、収集した過去及び現在のプロセス値を前記記憶装置に時系列に保存するデータ収集履歴保存部と、
前記記憶装置に保存された過去及び現在のプロセス値を参照し、前記プロセス値の変化の傾向を判定するのに必要な時定数を含むパラメータ定義に基づき、前記プロセス値の変化に対する傾向を前記演算装置の演算により予測する傾向予測演算部と、
表示の対象となるプロセス値とその表示形態とを含む表示定義に基づき、前記傾向予測演算部により予測された該当のプロセス値の傾向を示す直線を基準線との比較が可能な形態で前記表示装置に表示する描画・表示制御部と、
を有することを特徴とするフィールドデータ表示装置。
【請求項２】
前記描画・表示制御部は、
前記プロセス値の傾向を前記基準線に対する前記直線の矢印の向きで表示することを特徴とする請求項１記載のフィールドデータ表示装置。
【請求項３】
前記描画・表示制御部は、
前記プロセス値の絶対値を、水平線と垂直線で示される前記基準線の少なくとも一方の線に交点を有して延びる前記直線の前記交点の位置で、前記プロセス値の傾向を他方の線に対する前記直線の傾きで表示することを特徴とする請求項１記載のフィールドデータ表示装置。
【請求項４】
前記描画・表示制御部は、
前記プロセス値のうち第１のプロセス値の傾向を、水平線と垂直線で示される前記基準線の少なくとも一方の線に交点を有して延びる前記直線の前記交点の位置で、第２のプロセス値の傾向を、他方の線に対する前記直線の傾きでそれぞれ独立して表示することを特徴とする請求項１記載のフィールドデータ表示装置。
【請求項５】
前記描画・表示制御部は、
前記プロセス値のうち第１のプロセス値の傾向を、水平線と垂直線で示される前記基準線の一方の線に交点を有して他方の線と平行に延びる第１の直線の前記交点の位置で、第２のプロセス値の傾向を、前記他方の線に交点を有して前記一方の線と平行に延びる第２の直線の前記交点の位置でそれぞれ独立して表示することを特徴とする請求項１記載のフィールドデータ表示装置。
【請求項６】
前記描画・表示制御部は、
前記基準線を有する任意の座標位置に、黒点、および前記黒点の周りに同心円を描画し、前記同心円の径の長さで第３のプロセス値の傾向を表示することを特徴とする請求項４または５記載のフィールドデータ表示装置。
【発明の詳細な説明】
【技術分野】
【０００１】
本発明は、プラントを構成するフィールド機器で測定されたプロセス値を含むフィールドデータを表示する、フィールドデータ表示装置に関する。
【背景技術】
【０００２】
プラントでは、フィールド機器と総称される各種測定装置により各種プロセス量を測定し、制御装置がこれらフィールド機器の測定結果に基づきプラントを構成する各種プロセス機器を制御する。フィールド機器は、流量、圧力、温度などの各プロセス値に対して１個のフェースプレートを用意し、各プロセス値に対する現在値、設定値等を表示している。このようなフェースプレートと呼ばれる計器図表示では、ある１点における１フィールドデータに対するプロセス値（絶対値）とそれに付随する設定値や操作値等のデータしか表現できない。
【０００３】
ところで、プロセス値を含むデータの傾向を知るには、フェースプレートとは別にトレンドグラフを表示する必要があり、このときオペレータは、トレンドグラフの形状に基づき経験則から視覚的に対象データの傾向を判断していた。例えば、特許文献１，２に示されるように、過去と現在値の他に、シミュレーション技術を用いることによって、予測トレンドも表示することができるようになったが、このとき、シミュレーションによる予測結果を、過去と現在値からの延長として１本のグラフにまとめて表示していた。
【先行技術文献】
【特許文献】
【０００４】
【特許文献１】特開平２−４１５０６号公報
【特許文献２】特開２０１０−２６８４２号公報
【発明の概要】
【発明が解決しようとする課題】
【０００５】
近年、石油化学工場、石油精製工場、半導体装置製造工場等では、プラントが益々多様化し、大規模化し、複雑化している。このようなプラントでは、プロセス値の絶対値表現だけは不十分になりつつある。そのため、関連する複数のプロセス値に対する現在および近未来のデータの傾向を知ることにより、プラントにおけるさまざまな危険・異常事態を回避することが望まれている。
【０００６】
例えば、プロセスを制御するうえで、圧力と温度、または圧力と流量は非常に密接な関係にあるが、１個のフェースプレートでは１個のプロセス値の絶対値でしか表現することができない。また、トレンドグラフを参照したオペレータは、自らの経験則により予測値が安全な値を保っているか否かを判断しなければならず、このため、オペレータに相当のスキルを要していた。
【０００７】
具体的に、オペレータは、例えは、図６（ａ）に示されるように、時定数Ｔが比較的短いプロセス値（ｐｖ：圧力値）に対しては短い期間での傾向を参照する必要があり、また、図６（ｂ）に示すように時定数Ｔが比較的長いプロセス値に対しては長期間での傾向を参照する必要がある。この傾向をどう読み取るかについてはそのプロセス値の特性によって異なる。オペレータは各プロセス値の特性を熟知しており、その経験によって傾向を判断していた。このため、関連する複数のプロセス値の傾向をオペレータの経験に依存することなく、効率的かつ直感的に表現できる方法が望まれていた。
【０００８】
本発明は、上記した課題を解決するためになされたものであり、プラントにおける様々なデータの傾向をオペレータの経験の如何に依存することなく、効率的、直感的に表現することのできる、フィールドデータ表示装置を提供することを目的とする。
【課題を解決するための手段】
【０００９】
上記した課題を解決するために本発明は、プラント監視システムにおいて監視対象となるフィールド機器のそれぞれにより測定されるプロセス値を画面に表示する、少なくとも、記憶装置と、演算装置と、表示装置とからなるフィールドデータ表示装置であって、前記フィールド機器により測定されるプロセス値を収集し、収集した過去及び現在のプロセス値を前記記憶装置に時系列に保存するデータ収集履歴保存部と、前記記憶装置に保存された過去及び現在のプロセス値を参照し、前記プロセス値の変化の傾向を判定するのに必要な時定数を含むパラメータ定義に基づき、前記プロセス値の変化に対する傾向を前記演算装置の演算により予測する傾向予測演算部と、表示の対象となるプロセス値とその表示形態とを含む表示定義に基づき、前記傾向予測演算部により予測された該当のプロセス値の傾向を示す直線を基準線との比較が可能な形態で前記表示装置に表示する描画・表示制御部と、を有することを特徴とする。
【００１０】
本発明によれば、描画・表示制御部は、表示の対象となるプロセス値とその表示形態とを含む表示定義に基づき、傾向予測演算部で演算により予測された該当のプロセス値の傾向を示す直線を基準線との比較が可能な形態で表示する。この表示形態は、飛行機のコクピット等で用いられるＰＦＤ（Primary Flight Display）や姿勢表示器を意識したものであり、プラントにおける様々なデータの傾向をオペレータの経験の如何に依存することなく、少ない領域で効率的に、かつ直感的に表現することができる。
【００１１】
本発明において、前記描画・表示制御部は、前記プロセス値の傾向を前記基準線に対する前記直線の矢印の向きで表示する。このように、あるデータの傾向を矢印の向きで表現することにより、オペレータはプラントにおける様々なデータの傾向を直感的に判断することができる。
【００１２】
本発明において、前記描画・表示制御部は、前記プロセス値の絶対値を、水平線と垂直線で示される前記基準線の少なくとも一方の線に交点を有して延びる前記直線の前記交点の位置で、前記プロセス値の傾向を、他方の線に対する前記直線の傾きで表示することを特徴とする。本発明によれば、あるプロセス値について絶対値と傾向を同時に表示することができ、プラントにおける様々なデータの傾向をオペレータの経験の如何に依存することなく、少ない領域で効率的に、かつ直感的に表現することができる。
【００１３】
本発明において、前記描画・表示制御部は、前記プロセス値のうち第１のプロセス値の傾向を、水平線と垂直線で示される前記基準線の少なくとも一方の線に交点を有して延びる前記直線の前記交点の位置で、第２のプロセス値の傾向を、他方の線に対する前記直線の傾きでそれぞれ独立して表示することを特徴とする。本発明によれば、第１のプロセス値の傾向と第２のプロセス値の傾向とを基準線に対する直線の位置と傾きで同時に表現することができるため、関連する２つのプロセス値の傾向をオペレータの経験に依存することなく、小領域で効率的、かつ直感的に表現することができる。
【００１４】
本発明において、前記描画・表示制御部は、前記プロセス値のうち第１のプロセス値の傾向を、水平線と垂直線で示される前記基準線の一方の線に交点を有して他方の線と平行に延びる第１の直線の前記交点の位置で、第２のプロセス値の傾向を、前記他方の線に交点を有して前記一方の線と平行に延びる第２の直線の前記交点の位置でそれぞれ独立して表示することを特徴とする。本発明によれば、第１のプロセス値の傾向と第２のプロセス値の傾向とを基準線に対する直線の位置で同時に表現することができるため、関連する２つのプロセス値の傾向をオペレータの経験に依存することなく、小領域で効率的、かつ直感的に表現することができる。
【００１５】
本発明において、前記描画・表示制御部は、前記基準線を有する任意の座標位置に、黒点、および前記黒点の周りに同心円を描画し、前記同心円の径の長さで第３のプロセス値の傾向を表示することを特徴とする。本発明によれば、黒点と、黒点の周りに描画された同心円の径の長さで第３のプロセス値の傾向を表現することで、関連する複数のプロセス値の傾向をオペレータの経験に依存することなく、一層効率的に、かつ直感的に表現できる
【発明の効果】
【００１６】
本発明のフィールドデータ表示装置によれば、プラントにおける様々なデータの傾向を、オペレータの経験の如何に依存することなく、効率的、直感的に表現することができる。
【図面の簡単な説明】
【００１７】
【図１】本発明の実施の形態に係るフィールドデータ表示装置の構成を示すブロック図である。
【図２】本発明の実施の形態に係るフィールドデータ表示装置の動作を示すフローチャートである。
【図３】本発明の実施の形態に係るフィールドデータ表示装置による画面表示の一例を示す図である。
【図４】本発明の実施の形態に係るフィールドデータ表示装置による画面表示の他の例を示す図である。
【図５】本発明の実施の形態に係るフィールドデータ表示装置による画面表示の更に他の例を示す図である。
【図６】従来のフィールドデータ表示装置による画面表示の一例を示す図である。
【発明を実施するための形態】
【００１８】
以下、本発明に係る好適な実施の形態（以下、本実施形態）について、図面を参照しながら詳細に説明する。
【００１９】
（実施形態の構成）
図１は、本実施形態に係るフィールドデータ表示装置の構成を示すブロック図である。図１によれば、本実施形態に係るフィールドデータ表示装置１は、データ収集履歴保存部１１と、履歴ＤＢ（１２）と、傾向予測演算部１３と、描画・表示制御部１４と、表示メモリ１５と、表示部１６と、パラメータ定義部１７と、表示定義部１８と、により構成される。
【００２０】
データ収集履歴保存部１１は、プラントを構成する各フィールド機器により測定されるプロセス値をＬＡＮ（Local Area Network）２０経由で収集し、収集した過去及び現在のプロセス値を履歴ＤＢ（１２）に時系列に保存する。履歴ＤＢ（１２）は、データ収集履歴保存部１１により収集された、あるいはＫＰＩ（Key Performance Indicator：重要業績評価指数）等により計算された値が格納される半導体メモリで構成される大容量のデータベースである。
【００２１】
傾向予測演算部１３は、履歴ＤＢ（１２）に格納された過去および現在のプロセス値を参照して、パラメータ定義部１７で定義された時定数を含む定義情報に基づき、移動平均や最小二乗法により未来予測のための演算を行う。
【００２２】
描画・表示制御部１４は、表示定義部１８で定義される表示対象となるプロセス値とその表示形態を示す情報とに基づき、傾向予測演算部１３により予測される該当のプロセス値の変化に対する傾向を、飛行機のコクピットで用いられるＰＦＤ（Primary Flight Display）等のように、基準線と比較が可能な形態の表示データを生成して表示メモリ１５に描画する。描画・表示制御部１４は、更に、表示メモリ１５に描画された表示データを表示部１６の表示タイミングに同期して読み出し、表示部１６に表示する。
【００２３】
表示部１６は、ＬＣＤ（Liquid Crystal Display Device：液晶）やＯＬＥＤ（Organic Electro-Luminescence Display Device：有機ＥＬ）等の表示モニタである。描画・表示制御部１４により表示メモリ１５に描画され、表示部１６に表示される傾向データのバリエーションについては後述する。
【００２４】
（実施形態の動作）
図２は、本実施形態に係るフィールドデータ表示装置の動作を示すフローチャートである。以下、図２のフローチャートを参照しながら図１に示す本実施形態のフィールドデータ表示装置１の動作について詳細に説明する。
【００２５】
傾向予測演算部１３は、未来トレンドを予測するにあたり、まず、パラメータ定義部１７で定義された時定数を含む定義情報の読み出しを行う（ステップＳ１０１）。なお、定義情報については予めファイルとして用意されたものを読み出す方式であっても、不図示の入力デバイスを介して動的に設定されたものを取り込む方式であってもよい。
【００２６】
一方、データ収集履歴保存部１１では、プラントを構成する各フィールド機器により測定されるプロセス値をＬＡＮ（Local Area Network）２０経由で収集し、収集したプロセス値を履歴ＤＢ（１２）に時系列に保存してある。傾向予測演算部１３は、履歴ＤＢ（１２）から、パラメータ定義部１７で定義された時定数にしたがうサイズ分のプロセス値を取得し（ステップＳ１０２）、取得したプロセス値と直前の時定数分のサイズ分のプロセス値との移動平均をとって平滑化し、あるいは最小二乗法等により未来トレンドを示す予測データを生成する傾向判定処理を実行する（ステップＳ１０３）。そして、処理済みの予測データを、順次、描画・表示制御部１４に出力する
【００２７】
これを受けて描画・表示制御部１４は、所定のサイズ分の傾向予測処理の終了を待ち（ステップＳ１０４”ＹＥＳ”）、表示定義部１８で定義された、表示対象となるプロセス値とその表示形態とを示す情報を読み出し、その表示定義にしたがい、傾向予測演算部１３から出力される該当のプロセス値の傾向予測データを、例えば、図３（ａ）（ｂ）に示す表示データに変換する（ステップＳ１０５）。ここでは、関連するプロセスの２値を同時に表示する例が示されている。
【００２８】
描画・表示制御部１４は、更に、変換した表示データを表示メモリ１５に描画し、表示部１６の表示タイミングの到来を待って表示メモリに描画された表示データを表示部１６に出力する。このことにより、表示部１６には、例えば、図３（ａ）（ｂ）に示されるような２値傾向グラフ表示がなされる（ステップＳ１０６）。
【００２９】
図３（ａ）（ｂ）に示す２値傾向グラフによれば、同時に表現したい関連する２値を値Ｘ（圧力）及び値Ｙ（流量）とすれば、描画・表示制御部１４は、Ａ〜Ｉの９種類の２値の傾向の組み合わせを表現することができる。すなわち、描画・表示制御部１４は、表示する第１のプロセス値（Ｘ値）の傾向を、水平線と垂直線とで示される基準線の、少なくとも一方の線に交点を有して延びるバーの交点の位置で表示し、第２のプロセス値（Ｙ値）の傾向を、他方の線に対するバーの傾きでそれぞれ独立して描画し、そして表示する。
【００３０】
具体的に、図３（ａ）に示す例は、値Ｘの傾向を太線で示す直線（以下、バーという）の傾きで表現し、値Ｘに関連する値Ｙの傾向を、バーが基準線である垂直線に交わる位置で表現したものである。また、図３（ｂ）に示す例は、値Ｘの傾向を太線で示すバーが基準線である垂直線に交わる位置で表現し、値Ｙの傾向をバーが基準線である水平線に交わる位置で表現したものである。
【００３１】
いずれも、２値傾向グラフＡは、値Ｘ、Ｙともに現状維持を示す。また、２値傾向グラフＢは、値Ｘが増加傾向を示し、値Ｙが現状維持を示す。また、２値傾向グラフＣは、値Ｘが減少傾向を示し、値Ｙが現状維持を示す。また、２値傾向グラフＤは、値Ｘが現状維持を示し、値Ｙが増加傾向を示す。また、２値傾向グラフＥは、値Ｘ、Ｙ共に増加傾向を示す。また、２値傾向グラフＦは、値Ｘが減少傾向を示し、値Ｙが増加傾向を示す。また、２値傾向グラフＧは、値Ｘが現状維持を示し、値Ｙが減少傾向を示す。また、２値傾向グラフＨは値Ｘが増加傾向を示し、値Ｙが減少傾向を示す。また、２値傾向グラフＩは、値Ｘ、Ｙ共に減少傾向を示す。
【００３２】
なお、図３（ａ）（ｂ）に示す画面表示例では、２値の傾向について同時表示する例について説明したが、更に、あるデータについて、その絶対値と傾向を表現してもよい。この場合、図３（ａ）（ｂ）において、値Ｘの傾向を太線で示したバーの傾きで表現し、値Ｘの絶対値を太線で示したバーの基準線である垂直線との交点位置で表現することになる。
【００３３】
また、図４に他の画面構成の一例が示されるように、基準線を有する任意の座標位置に、黒点、および黒点の周りに同心円を描画し、この同心円の径の半径の長さで更なる第３のプロセス値の傾向を表示してもよい。なお、図５に１値傾向表示例が示されているように、プロセス値の傾向を基準線に対する直線の矢印の向きで表示してもよい。
【００３４】
（実施形態の効果）
以上説明のように本実施形態に係るフィールドデータ表示装置１によれば、描画・表示制御部１４は、表示の対象となるプロセス値とその表示形態とを含む表示定義に基づき、傾向予測演算部１３で演算により予測された該当のプロセス値の傾向を示す直線を基準線との比較が可能な形態で表示する。この表示形態は、飛行機のコクピット等で用いられるＰＦＤや姿勢表示器を意識したものであるため、プラントにおける様々なデータの傾向をオペレータの経験の如何に依存することなく、少ない領域で効率的に、かつ直感的に表現することができる。
【００３５】
また、本実施形態に係るフィールドデータ表示装置１によれば、あるデータの傾向を矢印の向きで表現することにより、オペレータはプラントにおける様々なデータの傾向を直感的に判断することができ、また、２値傾向グラフ表示により、関連する複数のプロセス値の傾向をオペレータの経験に依存することなく、効率的かつ直感的に表現できる。また、３値傾向グラフ表示も可能であり、この場合、少ない領域で一層効率的に複数のプロセス値の傾向表現が可能になる。
【００３６】
なお、本実施形態に係るフィールドデータ表示装置１は、ハードウエア的には、少なくとも、記憶装置と、演算装置と、表示装置とを含み構成される。このため、図１に示す、履歴ＤＢ１２と、パラメータ定義部１７と、表示定義部１８とは、記憶装置上に割り付けられ、データ収集履歴保存部１１と、傾向予測演算部１３とは演算装置で実現され、描画・表示制御部１４と、表示メモリ１５と、表示部１６とは表示装置にて実現される。
【００３７】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３８】
１・・フィールドデータ表示装置、１１・・データ収集履歴保存部、１２・・履歴ＤＢ、１３・・傾向予測演算部、１４・・描画・表示制御部、１５・・表示メモリ、１６・・表示部、１７・・パラメータ定義部、１８・・表示定義部、２０・・ＬＡＮ
【図１】
0005780387.tif 000002
【図２】
0005780387.tif 000003
【図３】
0005780387.tif 000004
【図４】
0005780387.tif 000005
【図５】
0005780387.tif 000006
【図６】
0005780387.tif 000007